(57)【要約】【課題】外気温又は水温が高くなる夏季等に適し、足蒸れを起こすことがなく、特に海藻、海苔、水苔等が成育している岩場等での強い掴持力によりスリップ、滑落、転倒等を防止できる、魚釣り、水遊びや渓流釣り等に好適なアウトトドア用草履を提供する。【解決手段】軟質合成樹脂製鼻緒１を装着した発泡合成樹脂製の表面部材２と天然ゴム又は合成ゴム製の底部材３からなる草履であって、底部材３には、土踏まず部３ｃを除く前面部３ａ及び踵部３ｂに長突起５と短突起６からなり、短突起６の中央にはスパイク８が埋設されている。【選択図】  図１
0003135805.tif 000002
【実用新案登録請求の範囲】
【請求項１】
軟質合成樹脂製鼻緒を装着した発泡合成樹脂製の表面部材と天然ゴム又は合成ゴム製の底部材からなる草履であって、
前記底部材には、土踏まず部を除く前面部及び踵部に長寸の突起体と短寸の突起体からなる防滑部が形成されていることを特徴とする、アウトトドア用草履。
【請求項２】
前記長寸の突起体は円柱状をなし、短寸の突起体は半球状又は円柱状をなし、該長寸の突起体と短寸の突起体間には空隙部が形成されるように複数配設して成型され、短寸の突起体中央には、スチール製のスパイクが埋設されていることを特徴とする、請求項１に記載のアウトトドア用草履。
【請求項３】
前記スパイクは、水平部と垂直部からなる、縦断面視Ｔ字形をなし、該スパイクの水平部は、前記短寸の突起体内に上向きに埋設されると共に、垂直部の約上半分以上が短寸の突起体内に埋設され、かつ、その下端面は、前記長寸の突起体の下端面と面一又はやや下方に突出していることを特徴とする、請求項１〜請求項２の何れかに記載のアウトトドア用草履。
【請求項４】
前記表面部材の下面と底部材の上面は、接着剤を介して貼着されていることを特徴とする、請求項１〜請求項３の何れかに記載のアウトトドア用草履。
【請求項５】
前記発泡合成樹脂が、発泡ポリスチレン、発泡ポリエチレン又は発泡ポリフェノールであることを特徴とする、請求項１〜請求項４の何れかに記載のアウトトドア用草履。
【考案の詳細な説明】
【技術分野】
【０００１】
本考案は、海辺や河原における釣り、キャンプ等のレジャー、アウトドアスポーツで使用されるアウトトドア用草履に関し、特に海藻、海苔、水苔等が成育している岩場等での魚釣り、水遊びや渓流釣り等に好適なアウトトドア用草履に関する。
【背景技術】
【０００２】
海辺や川でのレジャー、アウトドアスポーツ等における履物として、磯釣り、渓流釣り用には主に長靴が使用され、磯や河原での水遊びには、スニーカー又はサンダルが着用されるのが一般的である。長靴、スニーカー、サンダル等の底部は、主にゴム底、軟質又は硬質合成樹脂材、フェルト等で製作されているため、これらの素材による履物は、水に濡れると滑り易く、特に海藻、海苔、水苔等が成育している磯や渓流での釣りはもちろん、水に濡れた岩石にはぬめりがあるため、該岩石の上を上述の履物で踏めば、すぐに滑って転倒し、周辺の岩石や地面等で頭部、腰部等を打撲し、大怪我のもとになることがある。また、底部がフェルト製の履物で、海浜周辺での釣り場を移動中に砂の上を歩き、砂が底部に付着したまま、テトラポット等に乗った場合、滑り止めが機能しないで、該テトラポット等から滑落する事故も多発している。
【０００３】
底部に防滑部ないし滑り止めを形成した釣用の長靴としては、例えば、特開２００２−１７４０４（特許文献１）、特開２００１−１６１４０６（特許文献２）及び特開２００１−３０３７４（特許文献３）等が提案されている。また防滑部ないし滑り止めを形成したスニーカー、サンダル等としては、登実３０１５３４６（特許文献４）、登実３０８９１４８（特許文献５）等が提案されている。
【０００４】
特許文献１〜特許文献３に開示されている釣用の長靴は、外気温や水温が低い季節に着用するのに適しているが、外気温等が高くなる夏季等にあっては、足蒸れを起こすので不快となり、かつ水虫等皮膚病の原因ともなるので不向きであり、釣りはもちろん、海辺や川でのレジャー、アウトドアスポーツ等における軽装な履物としては、スニーカー、サンダル又は草履等が好適である。
【０００５】
特許文献４に開示されている、「防滑ゴム鋲を埋設したサンダル台」は、水に濡れた地面では滑り易いという問題点を有するスポンジゴム材で成形したサンダル台が、防滑性を有し、安全に履用できることを目的とし、その目的を達成する手段として、スポンジゴム材でサンダル台本体１を成形し、中底面側より接地面側に向かって防滑部材嵌挿孔を複数穿設し、合成ゴム又は天然ゴム材で略皿形ビス形に形成した防滑ゴム鋲を、円柱形の一端側を接地面より突出せしめて嵌挿し、中底面上に重接着した中底重接面で防滑ゴム鋲の円錐台形頭部を抑止固着することを特徴としている。
【０００６】
上記、特許文献４は、スポンジゴム材に防滑ゴム鋲を取り付けてなるので、足を踏ん張った場合、また斜面の昇降時には、スポンジゴム材は発泡材であり、かつゴム鋲であるために岩石等に対する掴持力が乏しいために、防滑性で劣るという欠点がある。
【０００７】
特許文献５に開示されている、「釣り用のスポーツサンダル」は、足の甲部と足首の前後とを支持するようにした釣り用のスポーツサンダルにおいて、サンダル底部が使用の繰り返しにより滑り止め機能が低下した場合に、サンダル全体を交換しなくてもよいようにすると共に、足に対する密着感を高くすることを課題とし、その解決手段は、スポーツサンダル本体に、足の親指を挿通できる鼻緒部を設けて密着感を高めると共に、該サンダル本体の底面には、フェルト地にスパイクを埋め込んだサンダル底をベルクロテープを介して着脱自在に接合してサンダル底の交換ができるようにした、ことを特徴としている。
【０００８】
しかしながら、特許文献５の底部に使用されるフェルトは、目を粗くすると繊維が早期にばらけて耐久性が悪くなるので、ニードリング等で目を細かくし、より堅くなるように仕上げているため、このフェルト底で海藻、海苔又は水苔や泥の岩石や地面を踏み付けると、フェルト底の目に海藻、海苔又は水苔や泥が詰まりフェルト底が平滑面となり、スリップし易くなる虞がある。また、フェルトは吸水性に優れるが、吸収した水を自然に脱水させる脱水性が悪い。さらに渓流釣りや沢登りのような水苔の付いた岩石を連続して踏み渡るような場合には、徐々に滑り止めの効果が薄れる不具合がある。
【０００９】
【特許文献１】特開２００２−１７４０４号公報
【特許文献２】特開２００１−１６１４０６号公報
【特許文献３】特開２００１−３０３７４号公報
【特許文献４】登録実用３０１５３４６号公報
【特許文献５】登録実用３０８９１４８号公報
【考案の開示】
【考案が解決しようとする課題】
【００１０】
本考案が解決しようとする課題は、海辺や河原における釣り、キャンプ等のレジャー、アウトドアスポーツで使用される、子供から成人までの履物において、特に外気温又は水温が高くなる夏季等に適し、足蒸れを起こすことがなく、海藻、海苔、水苔等が成育している岩場等での強い掴持力によりスリップ、滑落、転倒等を防止できる、魚釣り、水遊びや渓流釣り等に好適なアウトトドア用草履を提供することにある。
【課題を解決するための手段】
【００１１】
本考案者は、上記従来技術が有する各種問題点に鑑み、鋭意検討を重ね、特にゴム材にスチール製のスパイクを埋設すれば、海藻等が成育した岩石類への掴持力が極めて強くなることに着目し、本考案を完成したものである。
課題を解決するための手段は、本願、実用新案登録請求の範囲の各請求項に記載の考案であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊＊
本願における、実用新案登録請求の範囲、明細書及び要約書に記載している、掴持力とは、着用したアウトトドア用草履の底部材にかかった荷重（体重）が、該底部材における底面の前面部と踵部に形成された長寸の突起体と短寸の突起体からなる防滑部によって、海藻類を岩石面等に押し付けると共に、スパイクの下端部は、岩石面、地面等に突き刺さるように喰い込み、岩石面等でのスリップ、滑落、転倒等を防止する、防滑力をいう。
＊＊＊＊＊＊＊＊＊＊＊＊＊＊＊＊＊＊＊＊＊＊＊＊＊＊＊＊＊＊＊＊＊＊＊＊＊＊＊
【００１２】
上記の課題を解決するための第１の考案は、請求項１に記載する考案であり、軟質合成樹脂製鼻緒を装着した発泡合成樹脂製の表面部材と天然ゴム又は合成ゴム製の底部材からなる草履であって、前記底部材には、土踏まず部を除く前面部及び踵部に長寸の突起体と短寸の突起体からなる防滑部が形成されていることを特徴としている。
【００１３】
上記の課題を解決するための第２の考案は、請求項２に記載する考案であり、前記長寸の突起体は円柱状をなし、短寸の突起体は半球状又は円柱状をなし、該長寸の突起体と短寸の突起体間には空隙部が形成されるように複数配設して成型され、短寸の突起体中央には、スチール製のスパイクが埋設されていることを特徴としている。
【００１４】
上記の課題を解決するための第３の考案は、請求項３に記載する考案であり、前記スパイクは、水平部と垂直部からなる、縦断面視Ｔ字形をなし、該スパイクの水平部は、前記短寸の突起体内に上向きに埋設されると共に、垂直部の約上半分以上が短寸の突起体内に埋設され、かつ、その下端面は、前記長寸の突起体の下端面と面一又はやや下方に突出していることを特徴としている。
【００１５】
上記の課題を解決するための第４の考案は、請求項４に記載する考案であり、前記表面部材の下面と底部材の上面は、接着剤を介して貼着されていることを特徴としている。
【００１６】
上記の課題を解決するための第５の考案は、請求項５に記載する考案であり、前記発泡合成樹脂が、発泡ポリスチレン、発泡ポリエチレン又は発泡ポリフェノールであることを特徴としている。
【考案の効果】
【００１７】
本考案に係るアウトトドア用草履は、上記した特徴的な構成になるから、以下のような効果を奏する。すなわち、第１の考案によれば、本考案は、軟質合成樹脂製鼻緒を装着した発泡合成樹脂製の表面部材と天然ゴム又は合成ゴム製の底部材からなる草履であって、前記底部材には、土踏まず部を除く前面部及び踵部に長寸の突起体と短寸の突起体からなる防滑部が形成されているので、海辺や河原における釣り、キャンプ等のレジャー、アウトドアスポーツで使用される、子供から成人までの履物において、特に外気温又は水温が高くなる夏季等に適し、足蒸れを起こすことがなく、海藻、海苔、水苔等が成育している岩場等での強い掴持力によりスリップ、滑落、転倒等を防止できる、魚釣り、水遊びや渓流釣り等に好適なアウトトドア用草履の提供という、本考案の課題を解決することができた。
【００１８】
第２の考案によれば、前記長寸の突起体は円柱状をなし、短寸の突起体は半球状又は円柱状をなし、該長寸の突起体と短寸の突起体間には空隙部が形成されるように複数配設して成型され、短寸の突起体中央には、スチール製のスパイクが埋設されているので、特に海藻、海苔、水苔等が成育している岩場、河原はもちろん、コンクリート製のテトラポットや防波堤等にあっても、強い掴持力により、スリップ、滑落、転倒等を防止することができる。またスパイクは、スチール製であるから、岩石等による摩滅が少ないので長期的に使用することができる。さらに長寸の突起体と短寸の突起体間には空隙部が形成されているから、草履全体の総重量を軽量化することができた。
【００１９】
第３の考案によれば、スパイクは、水平部と垂直部からなる、縦断面視Ｔ字形をなし、該スパイクの水平部は、前記短寸の突起体内に上向きに埋設されると共に、垂直部の約上半分以上が短寸の突起体内に埋設され、かつ、その下端面は、前記長寸の突起体の下端面と面一又はやや下方に突出しているので、スパイクは、成型時においては確実に垂直状に埋設され、掴持力が落ちることがない。また垂直部の約上半分以上が短寸の突起体内に埋設されているから、歩行時にぐらつくことがなく、安定した歩行ができて疲労を少なくし、足首の捻挫等を防止することができる。
【００２０】
第４の考案によれば、表面部材の下面と底部材の上面は、接着剤を介して貼着されて製作され、素材が異なる鼻緒、表面部材及び底部材は、予め個別に製造され、鼻緒は表面部材の貫通孔に装着され、表面部材と底部材は、接着剤を介して一体化するので、大量生産することができ、生産コストを安価とすることができる。
【００２１】
第５の考案によれば、発泡合成樹脂が、発泡ポリスチレン、発泡ポリエチレン又は発泡ポリフェノールであるために、脱水性が良好で、表面部材は迅速に乾燥するので、頻繁に洗浄することができるので衛生的であり、また浮力によって、海底や川底等に沈まないので、水中での喪失を防止できる。
【考案を実施するための最良の形態】
【００２２】
以下、本考案に係る、アウトトドア用草履（以下、草履という）に関する最良の実施形態について、図面を参照しながら説明する。図１は、草履を構成する各部材を分離した状態の側面図、図２は、草履の底部材の底面図、図３は、図１における３−３線断面図、図４は、図１における４−４線断面図、図５は、スパイクの斜視図である。
【００２３】
図１において、１は、軟質合成樹脂材、例えば塩化ビニール等からなる鼻緒で、１ａは指掛け部、１ｂは側部係止部である。２は、発泡合成樹脂材、例えば発泡ポリスチレン、発泡ポリエチレン又は発泡ポリフェノール等からなる表面部材で、２ａは、鼻緒１の指掛け部１ａを係止する挿通孔で、２ｂは同側部係止部１ｂを係止する挿通孔である。３は、天然ゴム又は合成ゴム製の底部材である。底部材３は、前面部３ａ、踵部３ｂ及び土踏まず部３ｃからなり、該土踏まず部３ｃを除く前面部３ａと踵部３ｂには防滑部４が形成されている。防滑部４は、長寸の突起体（以下、長突起５という）と短寸の突起体（以下、短突起６という）からなり、長突起５は円柱状をなし、また短突起６は半球状又は円柱状をなしている。
【００２４】
図１〜図４に示すように、長突起５と短突起６間には空隙部が形成されるように複数配設されている。７は台座で、土踏まず部３ｃを除く前面部３ａと踵部３ｂに分散し、体重がより重くかかる足の部位に対応するように配設されている。
【００２５】
図１及び図３に示す長突起５の高さＨ１は、底部材３の上面３ｄから長突起５の下端面５ａまでの高さで約１５ｍｍ〜１８ｍｍ、その直径は、約１０ｍｍ〜１２ｍｍで、上部から下端面５ａに向けてやや先細状態となっている。また長突起５の下端面５ａには掴持力を強めるために半球状の凹部が形成されている。短突起６は、ほぼ台座７上に形成され、直径約１０ｍｍの半球状とし、その中央には、スチール製のスパイク８が埋設されている。
【００２６】
スパイク８は、図５に示すように、水平部８ａと垂直部８ｂからなり、縦断面視Ｔ字形で、垂直部８ｂの直径は、約２．５ｍｍ〜３ｍｍとし、水平部８ａの直径は、約７ｍｍ〜９ｍｍ、その高さＨ２は約１２ｍｍ〜１５ｍｍとしている。また、図３及び図４に示すように、スパイク８の水平部８ａは、短突起６内に上向きに埋設されると共に、垂直部８ｂの約上半分以上が短突起６内に埋設され、かつ、その下端面８ｃは、長突起５の下端面５ａと面一又はやや下方に突出するように成型される。
【００２７】
鼻緒１は、塩化ビニール等の軟質合成樹脂材を用いて、公知の成型加工技術で成型され、また、表面部材２は、発泡ポリスチレン、発泡ポリエチレン又は発泡ポリフェノール等の発泡合成樹脂材を用いて、公知の成型加工技術で成型され、底部材３は、天然ゴム又は合成ゴムを素材とし、予め縦断面視Ｔ字形としたスパイク８を金型の型枠内に装着し、公知の成型加工技術で成型される。
【００２８】
鼻緒１の指掛け部１ａは、表面部材２の挿通孔２ａ内の挿入されて係止され、側部係止部１ｂは、表面部材２の挿通孔２ｂ内の挿入されて係止される。表面部材２の下面２ｃは接着剤を介して、底部材３の上面３ｄに貼着して、本考案に係る、草履の製作は完了する。
【００２９】
なお、本考案は、上記実施態様についての本願明細書等における説明、図面等に限定されるものではなく、特に草履の底部材３の形状、長突起５及び短突起６等の高さＨ１や各種寸法等は、本考案における、実用新案登録請求の範囲を逸脱しない範囲内において、適宜変更されることはいうまでもない。
【図面の簡単な説明】
【００３０】
【図１】は、本考案に係る、草履を構成する各部材を分離した状態の側面図である。
【図２】は、草履の底部材の底面図である。
【図３】は、図１における３−３線断面図である。
【図４】は、図１における４−４線断面図である。
【図５】は、スパイクの斜視図である。
【符号の説明】
【００３１】
１  鼻緒
２  表面部材
３  底部材
４  防滑部
５  長突起
６  短突起
７  台座
８  スパイク
【図１】
0003135805.tif 000003
【図２】
0003135805.tif 000004
【図３】
0003135805.tif 000005
【図４】
0003135805.tif 000006
【図５】
0003135805.tif 000007